(57)【要約】      （修正有）【課題】実際に試着しなくても衣類がユーザの体に合っているか否かを正確に把握する試着画像表示方法を提供する。【解決手段】仮想的な人間の体の画像と衣類の画像とを表示する試着室表示ステップＳ１０３と、表示されている衣類の画像に対する選択操作を検知する選択操作検知ステップＳ１０５と、選択操作の検知を契機として、予め設定されている人間の体のサイズと衣類のサイズとに応じて、衣類を身に着けた状態の人間の体の画像を表示する試着画像表示ステップＳ１０９を備える。【選択図】図９
2016001359.tif 000002
【特許請求の範囲】
【請求項１】
試着サービスシステムにおいて行われる試着画像表示方法であって、
人間の体の画像と衣類の画像とを表示する試着室表示ステップと、
前記表示されている衣類の画像に対する選択操作を検知する選択操作検知ステップと、
前記選択操作の検知を契機として、予め設定されている前記人間の体のサイズと前記衣類のサイズとに応じて、前記衣類を身に着けた状態の前記人間の体の画像を表示する試着画像表示ステップと、
を含む試着画像表示方法。
【請求項２】
前記人間の体のサイズを指定するサイズデータの入力を受け付けるサイズデータ受付ステップと、
前記受け付けられたサイズデータで指定されたサイズを有する前記人間の体の画像を表示する体型変更画像表示ステップと、
をさらに含む請求項１に記載の試着画像表示方法。
【請求項３】
前記人間の体のサイズと前記衣類のサイズとに対応付けて、前記衣類を身に着けた状態の前記人間の画像を表示するための複数の画像データを記憶する試着画像記憶ステップと、
前記選択操作検知ステップにおいて前記選択操作が検知された場合に、前記選択操作が行われた前記衣類の画像に指定されている前記衣類のサイズと前記表示されている人間の画像に指定されている体のサイズとに対応する画像データを前記複数の画像データの中から取得する試着画像取得ステップと、をさらに含み、
前記試着画像表示ステップにおいて、前記試着画像取得ステップで取得された画像データを用いて、前記衣類を身に着けた状態の前記人間の体の画像を表示する、
請求項１又は２に記載の試着画像表示方法。
【発明の詳細な説明】
【技術分野】
【０００１】
本発明は、ユーザが仮想的に衣類を試着した状態を表す試着画像を表示する技術に関する。
【背景技術】
【０００２】
従来、ユーザがインターネット上のサイトで衣類を購入しようとする際に、衣類を実際に試着してみることができないという問題点があった。このため、ユーザは衣類の購入を躊躇したり、購入した後に体に合わないことが判って返品することがあった。
【０００３】
このような問題点を解決するために、ＰＣ（パーソナルコンピュータ）に設けられているＷｅｂカメラで撮影されたユーザの画像や、ＰＣからアップロードされたユーザの撮像画像に、衣類の画像を重ね合わせて、ユーザが衣類を試着した状態の画像をＰＣのディスプレイに表示する技術が存在する（例えば非特許文献１参照）。
【先行技術文献】
【非特許文献】
【０００４】
【非特許文献１】VituaFitter、[online]、［平成２６年６月３日検索］、インターネット〈ＵＲＬ：http://www.virtuafitter.com/jp/howto/ECsite_pc.html〉
【発明の概要】
【発明が解決しようとする課題】
【０００５】
しかしながら、このような技術を用いても、衣類のサイズがユーザの体のサイズに合っているか否かを正確に把握するには不十分であった。また、Ｗｅｂカメラが設けられているＰＣを用意したり、ユーザの全身の撮像画像をアップロードする必要があり、手間や費用がかかった。
【０００６】
本発明に係る具体的態様は、実際に試着しなくても衣類がユーザの体に合っているか否かを正確に把握することができる技術を提供することを目的の１つとする。
また、本発明に係る別の具体的態様は、Ｗｅｂカメラが設けられているＰＣや、ユーザの全身の撮像画像を用意しなくても、衣類がユーザの体に合っているか否かを正確に把握することができる技術を提供することを目的の１つとする。
【課題を解決するための手段】
【０００７】
本発明に係る一態様の試着画像表示方法は、試着サービスシステムにおいて行われる試着画像表示方法であって、仮想的な人間の体の画像と衣類の画像とを表示する試着室表示ステップと、前記表示されている衣類の画像に対する選択操作を検知する選択操作検知ステップと、前記選択操作の検知を契機として、予め設定されている前記人間の体のサイズと前記衣類のサイズとに応じて、前記衣類を身に着けた状態の前記人間の体の画像を表示する試着画像表示ステップと、を含む試着画像表示方法である。
【０００８】
上記構成によれば、予め設定されている前記人間の体のサイズと前記衣類のサイズとに応じて、前記衣類を身に着けた状態の前記人間の体の画像を表示するため、前記人間の体のサイズを予め自己のサイズに設定しておけば、ユーザは実際に試着してみなくても衣類が自己の体のサイズに合っているか否かを正確に把握することができる。
【０００９】
上記の試着画像表示方法において、前記人間の体のサイズを指定するサイズデータの入力を受け付けるサイズデータ受付ステップと、前記受け付けられたサイズデータで指定されたサイズを有する前記人間の体の画像を表示する体型設定画像表示ステップと、をさらに含むことが好ましい。
【００１０】
上記構成によれば、サイズデータを入力して人間の体のサイズを自己の体のサイズに調整することができるため、当該サイズ調整した体を用いて試着画像を表示することで、衣類がユーザの体に合っているか否かを正確に把握することができる。また、Ｗｅｂカメラが設けられているＰＣや、ユーザの全身の撮像画像を用意しなくても、サイズデータを入力してユーザの体のサイズを設定することができる。
【００１１】
上記の試着画像表示方法において、前記選択操作検知ステップにおいて前記選択操作が検知された場合に、前記選択操作が行われた前記衣類の画像に予め設定された前記衣類のサイズと前記表示されている人間の画像に予め設定された体のサイズとに対応する画像データをデータベースから取得する試着画像取得ステップと、をさらに含み、前記試着画像表示ステップにおいて、前記試着画像取得ステップで取得された画像データを用いて、前記衣類を身に着けた状態の前記人間の体の画像を表示する、ことが好ましい。
【００１２】
上記構成によれば、前記人間の体のサイズと前記衣類のサイズとに対応付けて、前記衣類を身に着けた状態の前記人間の画像を表示するための複数の画像データを予め用意しておくことで、複雑な演算処理を行うことなく、容易に試着画像を表示することができる。
【図面の簡単な説明】
【００１３】
【図１】図１は、一実施形態に係る試着サービスシステムの全体構成図である。
【図２】図２は、マイルームページの画面構成を示す図である。
【図３】図３は、試着室ページの画面構成を示す図である。
【図４】図４は、コレクションページの画面構成を示す図である。
【図５】図５は、コレクションペー上に表示されたサイズ設定画面の画面構成を示す図である。
【図６】図６は、試着画像ＤＢに記憶されているデータの一例を模式的に示す図である。
【図７】図７は、サーバの機能構成を示すブロック図である。
【図８】図８は、ユーザ端末の機能構成を示すブロック図である。
【図９】図９は、試着サービスシステムにおいて行われる試着画像表示処理の手順を示すシーケンス図である。
【図１０】図１０は、試着サービスシステムにおいて行われるアバターの体型変更処理の手順を示すシーケンス図である。
【発明を実施するための形態】
【００１４】
以下、本発明を実施するための形態を、図面を参照して詳細に説明する。
図１は、一実施形態に係る試着サービスシステムの全体構成図である。同図に示すように、試着サービスシステム１は、試着サービスとＳＮＳ（Social Networking Service）との両方のサービス機能を備えた会員サービスである「試着ＳＮＳ」を提供するサーバ１０と、ユーザが所持するユーザ端末２０と、を含んで構成されている。サーバ１０とユーザ端末２０はインターネットや無線通信網等の通信ネットワーク３０を介して通信可能に接続されている。なお、図１ではユーザ端末２０を２つ表示しているが、実際には試着ＳＮＳを利用するユーザの数だけ存在する。
【００１５】
（サーバの構成）
サーバ１０は、ハードウエアとして、図示しない制御部としてのＣＰＵ（Central Processing Unit）と、ＲＯＭ（read-only memory）、ＲＡＭ（random-access memory）、ハードディスク装置等の記憶装置と、通信インターフェースと、を備えている。
記憶装置には各種プログラムやデータが記憶されている。例えば、当該記憶装置には、オペレーションシステム、各種画面を表示するデータをユーザ端末２０に送信するためのプログラム、ユーザ端末２０から受信した各種データを記憶装置に記憶するためのプログラム、ユーザ端末２０から受信した要求に応じて記憶装置から各種データを読み出しユーザ端末２０に送信するためのプログラム等が記憶されている。
また、当該記憶装置には、試着ＳＮＳに会員登録したユーザのプロフィール、ログインＩＤ、パスワード、商品情報、ユーザの代りに仮想的に衣類を試着させるためのアバター画像、ユーザ用のタイムラインに投稿された情報が記憶されている。
【００１６】
また、当該記憶装置には、ユーザ端末２０に各種画面を表示するための例えばＨＴＭＬ（HyperText Markup Language）形式のデータが記憶されている。例えば、図２、図３および図４に示す画面をユーザ端末２０に表示するためのデータが記憶されている。
図２はマイルームページ４０であり、サーバ１０が提供する試着ＳＮＳのログイン画面（不図示）からログインした時に表示される画面である。
マイルームページ４０の左上には、ログインユーザのプロフィール表示部４１が設けられている。当該プロフィール表示部４１の下部の選択操作が行われると、プロフィール編集画面（不図示）が表示される。
マイルームページ４０の左下には、タイムライン表示部４２が設けられている。タイムライン表示部４２には、ユーザ、ユーザの友達、フォロアー等が投稿した記事・コメント・衣類を身に着けたアバターの試着画像等が、時系列的に表示される。
マイルームページ４０の右上には、試着ＳＮＳにおいてユーザの代りに仮想的に衣類を試着するキャラクターであってユーザの体型に調整されたアバター画像を表示する自己アバター表示部４３が設けられている。
マイルームページ４０の右中央には、試着ＳＮＳ内での友達やフォロアーの画像を表示する他ユーザ表示部４４が設けられている。
【００１７】
図３は、試着室ページ５０である。試着室ページ５０の左側には、試着用のアバター画像を表示するためのアバター画像表示部５１が設けられている。
試着室ページ５０の右側には、検索条件に合致した衣類の画像や、以前保存操作が行われてサーバ１０に記憶されている衣類の画像を表示する衣類画像表示部５２が設けられている。衣類画像表示部５２に表示された衣類の中から特定の衣類の画像を選択する操作が行われると、当該選択された衣類を身に着けた状態のアバター画像がアバター画像表示部５１に表示される。
試着室ページ５０の中央付近には、アバター画像表示部５１のアバターが身に着けている衣類の一覧を表示する試着衣類表示部５３が設けられている。
アバター画像表示部５１の上部左側には、アバター画像表示部５１に表示されたアバター画像を水平方向に回転させて、アバターの側面、背面等を表示するためのボタン５４が設けられている。
アバター画像表示部５１の上部右側には、アバターが試着した衣類のサイズが大きいか否かを警告するためのボタン５５が設けられている。当該ボタン５５が選択されると、アバターに設定されている体のサイズと、衣類のサイズと、が比較され、衣類のサイズが大きい場合には、アバターが身に着けている当該衣類の画像上と、試着衣類表示部５３に表示されている当該衣類の情報表示領域の上に「SIZE OVER」という警告文字が表示される。
試着室ページ５０の中央下部には、アバターが試着した衣類の合計金額を表示する合計金額欄５６が設けられている。合計金額欄５６の右側に設けられているボタン５７が選択されると、アバターが試着していて試着衣類表示部５３に表示されている衣類の情報がカートに追加される。
アバター画像表示部５１の下部には、アバター画像表示部５１に表示されているアバター画像を自分やフォロアーのタイムラインに投稿するためのタイムライン投稿ボタン５８が設けられている。
【００１８】
図４は、試着に利用するアバター画像のコレクションページ６０である。
このコレクションページ６０に表示されている何れかのアバター画像の選択操作が行われると、図５に示すサイズ設定画面７０がコレクションページ６０上に表示される。このサイズ設定画面７０には、身長の入力欄７１、肩幅の入力欄７２、胸囲の入力欄７３、腕の太さの入力欄７４、ウエストの入力欄７５、ヒップの入力欄７６、股下の入力欄７７が設けられている。これらの入力欄７１、‥‥、７７には１ｃｍきざみで数値を入力することができる。
これらの入力欄７１、‥‥、７７に数値を入力すると、当該数値の体型を有するアバターの画像がサイズ設定画面７０の左側に表示される。サイズ設定を終了し、サイズ設定画面７０を閉じると、コレクションページ６０で選択操作が行われた対象のアバター画像がサイズ設定後のアバター画像に置き換わる。コレクションページ６０における各アバター画像の右下には試着ボタン６１が設けられており、当該試着ボタン６１の選択操作が行われると、対応するアバター画像は試着室ページ５０のアバター画像表示部５１に表示され、当該アバター画像を用いて試着が可能となる。
【００１９】
また、サーバ１０の記憶装置には、試着画像ＤＢ、体型ＤＢ、衣類ＤＢおよび投稿記事ＤＢが設けられている。
試着画像ＤＢには、人間（アバター）の体のサイズと衣類のサイズとに対応付けて、各サイズの人間に各サイズの衣類を身に着けさせた場合の当該衣類の状態を表示するための複数の画像データが記憶されている。
人間の体のサイズとしては、身長、肩幅、胸囲、腕の太さ、ウエスト、ヒップ、股下等が存在する。「衣類」としては身に着けるものであればよく、シャツ、セーター、ワンピース、パンツ、靴下、ベルト等が存在する。
図６は試着画像ＤＢに記憶されているデータの一例を模式的に示す図である。この例では、股下の長さと、Ｌサイズのパンツと、に対応付けられて、人間が当該パンツを履いた場合のパンツの状態を表示するための画像データが試着画像ＤＢに記憶されている。また、試着画像ＤＢには、これらの複数の画像データのうち、どの画像データがユーザの体にフィットしているかを示すフィットフラグが記憶されている。この例のように、ユーザの股下のサイズによって、実際にユーザがＬサイズのパンツを履いたときの状態を正確に表示できる画像データが記憶されているため、ユーザは表示された画像を見て実際にパンツを試着した状態を正確に把握することができる。
【００２０】
体型ＤＢには、人間の体の各部位のサイズ毎に、人間の体の画像を表示するための画像データが対応付けて記憶されている。また、体型ＤＢには、マイルームページ４０の自己アバター表示部４３、試着室ページ５０のアバター画像表示部５１、コレクションページ６０等に表示された各アバター画像に設定された体のサイズと、当該体のサイズを有するアバター画像を表示するためのデータが記憶されている。
衣類ＤＢには、ユーザに販売する衣類の画像データが、サイズや値段と対応付けられて記憶されている。
投稿記事ＤＢには、ユーザ端末２０から投稿されたコメント、試着したアバターの画像データ等が、投稿日時・投稿者等と対応付けて記憶されている。
【００２１】
サーバ１０のＣＰＵが記憶装置に記憶されたプログラムに従って処理を実行することにより、主な機能として、図７に示す機能構成がサーバ１０に実現される。
選択操作検知部１０１は、ユーザ端末２０からの通知により、試着室ページ５０の衣類画像表示部５２に表示されている特定の衣類の画像に対する選択操作が行われたことを検知する。
【００２２】
試着画像取得部１０２は、選択操作が行われた特定の衣類の画像に設定されている衣類のサイズを衣類ＤＢから取得し、アバター画像表示部５１に表示されているアバター画像に設定されている体のサイズを体型ＤＢから取得し、当該衣類のサイズと体のサイズとに対応する画像データを、試着画像ＤＢに記憶されている画像データの中から取得する。
試着画像生成部１０３は、試着画像取得部１０２が取得した画像データをアバターの体の画像を表示するための画像データに重ね合わせて、試着画像を表示するための画像データを生成する。選択操作検知部１０１において複数の衣類の選択操作が行われたことを検知した場合には、試着画像生成部１０３は、当該複数の衣類の画像データを選択操作が行われた時系列順に下から上に重ね合わせるレイヤー処理を行う。これにより、Ｔシャツの上にベルトを締めることも、Ｔシャツの裾の上にパンツを重ね合わせることも可能となる。
【００２３】
サイズデータ受付部１０４は、ユーザ端末２０からアバターの体のサイズを指定するサイズデータの入力を受け付ける。具体的には、図４に示すコレクションページ６０において、特定のアバター画像の選択操作が行われると、図５に示すサイズ設定画面７０が表示され、当該サイズ設定画面７０において、身長、肩幅、胸囲、腕の太さ、ウエスト、ヒップ、股下それぞれに対応する入力欄７１〜７７に数値が入力されると、サイズデータ受付部１０４は入力欄７１〜７７に入力されたサイズデータを受け付ける。
体型画像取得部１０５は、受け付けられたサイズデータで指定されたサイズに対応付けられた体型画像を表示するための画像データを体型ＤＢから取得する。
【００２４】
投稿受付部１０６は、ユーザ端末２０から試着ＳＮＳに投稿された投稿データを受け付け投稿記事ＤＢに記憶する。
タイムライン生成部１０７は、投稿記事ＤＢに蓄積されている投稿データに基づいて、ユーザ、他のユーザ（ユーザの友達、フォロアー、広告主等）から投稿された投稿データを、ユーザ名、投稿日時等と共に、投稿日時順に上下方向に並べたリストを生成し、タイムライン表示部４２に表示する。
【００２５】
（ユーザ端末の構成）
ユーザ端末２０は、ＰＣや、スマートフォン、タブレットＰＣ等の携帯型情報端末であり、図示しない、ＣＰＵと、記憶装置と、通信インターフェースと、ディスプレイと、入力装置と、を備えている。記憶装置には、オペレーティングシステム、各種プログラム、データ等が記憶されている。
ユーザ端末２０のＣＰＵが記憶装置に記憶されたプログラムに従って処理を実行することにより、図８に示す機能がユーザ端末２０に実現される。
試着室表示部２０１は、例えば図３に示すように、試着室ページ５０のアバター画像表示部５１に、アバター画像を表示し、衣類画像表示部５２に衣類の画像を表示する。
選択操作検知部２０２は、衣類画像表示部５２に表示されている衣類の画像に対する選択操作を検知する。
【００２６】
試着画像表示部２０３は、試着室ページ５０に表示されている特定の衣類の画像に対する選択操作の検知を契機として、サーバ１０にその旨を通知し当該通知に対する応答としてサーバ１０から受信した情報に基づいて、予め設定されている前記アバターの体のサイズと前記特定の衣類のサイズとに応じて、前記衣類を身に着けた状態の前記アバターの体の画像を表示する。
サイズデータ受付部２０４は、ユーザによりサイズ設定画面７０のサイズ入力欄７１〜７７に数値が入力された場合に、当該入力された数値で示される、アバターの体のサイズを指定するサイズデータの入力を受け付ける。
体型設定画像表示部２０５は、サイズ設定画面７０においてアバターの体のサイズを指定するサイズデータの入力を受け付けた場合に、その旨をサーバ１０に通知し当該通知に対する応答として当該サーバ１０から受信したデータに基づいて、当該受け付けられたサイズデータで指定されたサイズ（体型）を有するアバター画像を表示する。
【００２７】
（動作）
次に、図９に示す処理シーケンス図を参照して、上記構成の試着サービスシステム１において行われる試着画像表示処理の手順を説明する。ここでは、ユーザは予め試着ＳＮＳに会員登録しており、ユーザ端末２０を操作して試着ＳＮＳにログインしているものとする。
【００２８】
まず、ユーザはユーザ端末２０を操作して、試着室ページ５０を表示する指示を行う。これにより、ユーザ端末２０は試着室ページ表示要求をサーバ１０に送信する（ステップＳ１０１）。
サーバ１０は試着室ページ表示要求を受信すると、試着室ページ５０を表示するためのデータをサーバ１０の記憶装置から読み出してユーザ端末２０に送信する（ステップＳ１０２）。
ユーザ端末２０は、サーバ１０からデータを受信すると、ディスプレイに試着室ページ５０を表示する（ステップＳ１０３）。
【００２９】
ユーザはユーザ端末２０に表示された試着室ページ５０において衣類を検索する操作を行う。これにより、検索条件に合致した衣類の画像が衣類画像表示部５２に表示される。ユーザは、表示された衣類の画像の中から試着を所望する特定の衣類の画像を選択する操作を行う。これにより、ユーザ端末２０の選択操作検知部２０２は特定の衣類が選択されたことを検知し、その旨を通知するメッセージをサーバ１０に送信する（ステップＳ１０４）。
【００３０】
サーバ１０は、ユーザ端末２０からメッセージを受信すると、選択操作検知部１０１は、特定の衣類の画像の選択操作が行われたことを検知する（ステップＳ１０５）。
選択操作が行われたことの検知を契機として、試着画像取得部１０２は、選択操作が行われた特定の衣類の画像に設定されている衣類のサイズを衣類ＤＢから取得し、アバター画像表示部５１に表示されているアバター画像に設定されている体のサイズを体型ＤＢから取得する。そして、試着画像取得部１０２は、衣類のサイズと体のサイズとに対応付けられている画像データを、試着画像ＤＢに記憶されている複数の画像データの中から取得する（ステップＳ１０６）。試着画像生成部１０３は、取得した画像データをユーザのアバター画像を表示するための画像データに重ね合わせて、ユーザのアバターが衣類を身に着けた状態の試着画像を表示するための画像データを生成する（ステップＳ１０７）。サーバ１０は、当該生成した画像データをユーザ端末２０に送信する（ステップＳ１０８）。
ユーザ端末２０の試着画像表示部２０３は、サーバ１０から受信した画像データに基づいて、ユーザのアバターが衣類を身に着けた状態の試着画像をアバター画像表示部５１に表示する（ステップＳ１０９）。
【００３１】
次に、図１０に示すシーケンス図を参照して、試着サービスシステム１において行われるアバターの体型変更処理の手順を説明する。
【００３２】
まず、ユーザはユーザ端末２０を操作して、コレクションページ６０を表示する要求を行う。これにより、ユーザ端末２０はコレクションページ表示要求をサーバ１０に送信する（ステップＳ２０１）。
サーバ１０はアバターコレクションページ表示要求を受信すると、コレクションページ６０を表示するためのデータを記憶装置から読み出しユーザ端末２０に送信する（ステップＳ２０２）。
【００３３】
ユーザ端末２０は、サーバ１０からデータを受信すると、ディスプレイにコレクションページ６０を表示する（ステップＳ２０３）。
ユーザは、コレクションページ６０に表示された複数のアバターの画像の中から、特定のアバターの画像を選択する操作を行う。これにより、ユーザ端末２０は特定のアバターの画像が選択されたことを検知し、その旨を通知するメッセージをサーバ１０に送信する（ステップＳ２０４）。
【００３４】
サーバ１０は、メッセージをユーザ端末２０から受信すると、選択された特定のアバターの体型を設定するサイズ設定画面７０を表示するためのデータを記憶装置から読み出してユーザ端末２０に送信する（ステップＳ２０５）。
ユーザ端末２０は、サーバ１０から受信したデータに基づいて、サイズ設定画面７０を表示する（ステップＳ２０６）。
サイズ設定画面７０の入力欄７１〜７７には、現在設定されている数値が表示されているが、ユーザは変更を所望する部位の入力欄７１〜７７に所望の数値を入力する。これにより、ユーザ端末２０のサイズデータ受付部２０４はアバターの体のサイズを指定するサイズデータの入力を受け付け、当該サイズデータをサーバ１０に送信する（ステップＳ２０７）。
【００３５】
サーバ１０がユーザ端末２０からサイズデータを受信すると、サイズデータ受付部１０４は当該サイズデータを受け付ける（ステップＳ２０８）。体型画像取得部１０５は、当該サイズデータに対応する体型のアバター画像を表示するための画像データを体型ＤＢから取得し（ステップＳ２０９）、ユーザ端末２０に送信する（ステップＳ２１０）。
ユーザ端末２０は、画像データをサーバ１０から受信すると、当該画像データに基づいて、前記サイズデータで指定されたサイズを有するアバターの画像を、コレクションページ６０における前記特定のアバターの画像が表示されていた場所に置換表示する（ステップＳ２１１）。このサイズを設定したアバター画像を試着室ページ５０のアバター画像表示部５１に表示すれば、当該アバターで試着をすることができる。
【００３６】
以上のように、試着サービスシステム１では、予め設定されているアバターの体のサイズと衣類のサイズとに応じて、当該衣類を身に着けた状態のアバターの体の画像を表示するため、アバターの体のサイズをユーザの体のサイズに設定しておけば、ユーザは実際に試着してみなくても衣類が自己の体のサイズに合っているか否かを正確に把握することができる。
また、サイズデータを入力してアバターの体のサイズを自己の体のサイズに調整した上で試着することができるため、衣類がユーザの体に合っているかを正確に把握することができる。また、Ｗｅｂカメラが設けられているＰＣや、ユーザの全身の撮像画像を用意しなくても、サイズデータを入力すれば、正確な試着画像を表示することができる。
また、体のサイズと衣類のサイズとに対応付けて、試着画像を表示するための複数の画像データを予め試着画像ＤＢに記憶しておくことで、複雑な演算処理を行うことなく、容易に試着画像を表示することができる。
【００３７】
本発明は上述した各実施形態の内容に限定されるものではなく、本発明の要旨の範囲内において種々に変形して実施をすることが可能である。例えば、上述した実施形態においては、試着サービスシステム１は、サーバ１０とユーザ端末２０を含んで構成されるとして説明したが、これに限定されることはなく、ユーザ端末２０が上述したサーバ１０の機能構成の全部又は一部を有していてもよいし、複数の通信装置にサーバ１０の機能構成が分散して設けられていてもよい。ユーザ端末２０にサーバ１０が備える機能を持たせる場合には、アプリケーションプログラムを提供する所定のサーバから上記機能を実行するためのアプリケーションプログラム（いわゆる「アプリ」）をユーザ端末２０にダウンロードすればよい。また、ユーザ端末２０に表示される画面構成や画像の表示位置、データベース構成は一例に過ぎず、本発明の要旨の範囲内で変形が可能である。
【符号の説明】
【００３８】
１    ：試着サービスシステム
１０  ：サーバ
１０１：選択操作検知部
１０２：試着画像取得部
１０３：試着画像生成部
１０４：サイズデータ受付部
１０５：体型画像取得部
１０６：投稿受付部
１０７：タイムライン生成部
２０  ：ユーザ端末
２０１：試着室表示部
２０２：選択操作検知部
２０３：試着画像表示部
２０４：サイズデータ受付部
２０５：体型設定画像表示部
３０  ：通信ネットワーク
【図１】
2016001359.tif 000003
【図２】
2016001359.tif 000004
【図３】
2016001359.tif 000005
【図４】
2016001359.tif 000006
【図５】
2016001359.tif 000007
【図６】
2016001359.tif 000008
【図７】
2016001359.tif 000009
【図８】
2016001359.tif 000010
【図９】
2016001359.tif 000011
【図１０】
2016001359.tif 000012